(57)【要約】【課題】  ジャックタイプのＵＳＢコネクタにおける従来品のような問題を解消したＵＳＢコネクタ、特に、低背ＵＳＢコネクタに好適なＵＳＢコネクタを提供すること。【解決手段】  金属製シールドケース１の内部にコンタクト４を圧入保持した絶縁材製のハウジング３を収装して成るジャックタイプのＵＳＢコネクタにおいて、側断面略Ｌ字状をなすハウジング３に形成した溝状のコンタクト保持部２は、コンタクト４の横向き部4aを前記保持部２の背面から圧入するため、当該横向き部4aを挟持して保持する横向き溝2aを当該ハウジング３の横向き部位3aに底面側を開放21aして形成したこと。【選択図】図１
2010009974.tif 000002
【特許請求の範囲】
【請求項１】
金属製シールドケースの内部にコンタクトを圧入保持した絶縁材製のハウジングを収装して成るジャックタイプのＵＳＢコネクタにおいて、側断面略Ｌ字状をなすハウジングに形成した溝状のコンタクト保持部は、コンタクトの横向き部を前記保持部の背面から圧入するため、当該横向き部を挟持して保持する横向き溝を当該ハウジングの横向き部位に底面側を開放して形成したことを特徴とするＵＳＢコネクタ。
【請求項２】
コンタクト保持部の横向き溝部は、その上面側を天蓋状に塞いで形成した請求項１のＵＳＢコネクタ。
【請求項３】
コンタクト保持部の縦向き溝部は、コンタクトの縦向き部を当該溝内で可動に保持するため、前後に貫通した溝状に形成した請求項１又は２のＵＳＢコネクタ。
【請求項４】
コンタクト保持部の縦向き溝部は、その上端に、保持されるコンタクトの先端を前面から覆って支持する先端支持部を形成した請求項１〜３のいずれかのＵＳＢコネクタ。
【請求項５】
コンタクト保持部に保持されたコンタクトは、その上端前面が先端支持部の背面に適宜圧力で当接されることによりプリテンションが掛けられた請求項１〜４のいずれかのＵＳＢコネクタ。
【発明の詳細な説明】
【技術分野】
【０００１】
本発明はジャックタイプのＵＳＢ（Universal  Serial  Bus）コネクタ、より具体的には低背ＵＳＢコネクタに適用して改善されたコンタクト性能を発揮できるようにしたＵＳＢコネクタに関する。
【背景技術】
【０００２】
ジャックタイプのＵＳＢコネクタの基本構造は、特許文献１〜３などにより公知である。
公知ＵＳＢコネクタの基本構造としては図３に例示するように、金属製の略角筒状をなすシールドケース11の内部に、合成樹脂などの絶縁性材料で櫛歯状に並列したコンタクト保持部12を形成したハウジング13を収装して成るが、このハウジング13にはシールドケース11に収装する前に、複数のコンタクト14がその保持部12に図３の左方から右方へ向けて圧入保持された構成である。なお、図３のコンタクト保持部12において、12aは横向き溝部、12bは縦向き溝部である。
【０００３】
図３に例示した公知のＵＳＢコネクタにおいては、コンタクト14の横向き部14aを圧入保持する横向き溝部12aと縦向き溝部12bを備えたハウジング13の全体が、図３に示すように、略Ｌ字状断面を呈する形態であり、前記溝部12a，12bに、コンタクト14の横向き部14aを図３の横向き溝部12aの左方から右方へ向けて圧入すると、当該コンタクト14の縦向き部14bが縦向き溝部12bに遊嵌された状態になるように保持されるので、後に述べるような問題がある。
【０００４】
なお、図３において、11a，11bはシールドケース11の左右側壁を切起して対向するように形成した、挿入されるプラグコネクタ（図示せず）の挿入をガイドすると共に挿入されたプラグコネクタを挟持するようにサポートするプラグ支持片である。また、12cはコンタクト保持部12における縦向き溝部12aの背面壁で、コンタクト14の縦向き部14bが遊嵌される縦向き溝部12aの底にあたる。
【０００５】
図３に例示した公知のＵＳＢコネクタでは、上半部の側断面形状が略く状を呈し全体として略Ｌ字状をなすコンタクト14における先端側14cが、コンタクト保持部12の縦向き溝部12bの中でフリー状態であるため、プラグコンタクト挿入時の接点高さが一定になりにくく、また、当該先端側14cが前記溝部12bの前面から少しでも突出していたり、プラグコネクタが斜めに挿入されたりすると、接触するコンタクト14の先端側14cを上部から下方へ向けて押え込むこととなって、当該コンタクト14を坐屈させてしまうという問題を孕んでいる。
【特許文献１】特開２００３−１８７９３０号公報
【特許文献２】特開２００３−２４３０９３号公報
【特許文献３】特開２００７−５９３５１号公報
【発明の開示】
【発明が解決しようとする課題】
【０００６】
そこで本発明においては、ジャックタイプのＵＳＢコネクタにおける従来品のような問題を解消したＵＳＢコネクタ、特に、低背ＵＳＢコネクタに好適なＵＳＢコネクタを提供することを、その課題とする。
【課題を解決するための手段】
【０００７】
上記課題を解決することを目的としてなされた本発明ＵＳＢコネクタの構成は、金属製シールドケースの内部にコンタクトを圧入保持した絶縁材製のハウジングを収装して成るジャックタイプのＵＳＢコネクタにおいて、側断面略Ｌ字状をなすハウジングに形成した溝状のコンタクト保持部は、コンタクトの横向き部を前記保持部の背面から圧入するため、当該横向き部を挟持して保持する横向き溝を当該ハウジングの横向き部位に底面側を開放して形成したことを特徴とするものである。
【０００８】
上記の本発明ＵＳＢコネクタにおいて、コンタクト保持部の横向き溝部は、上面側を天蓋状に塞いだ形態である。また、コンタクト保持部の縦向き溝部は、コンタクトの縦向き部を当該溝部内で可動に保持するため前後に貫通した溝状である。さらに、コンタクト保持部の縦向き溝部には、その上端に保持されるコンタクトの先端を前面側から覆って支持する先端支持部に形成している。加えて、コンタクト保持部に保持されたコンタクトは、その上端前面が先端支持部の背面に適宜圧力で当接されることにより、プリテンションが掛けられた状態で保持される。
本発明ＵＳＢコネクタは上記構成によって、断面略Ｌ字状をなすハウジングのコンタクト保持部に対し、その背面側からコンタクトを圧入することができ、かつ、コンタクトの上端をカバーしてプリテンションを掛けた状態でその保持部にコンタクトを保持することができる。
【発明の効果】
【０００９】
本発明では、ジャックタイプのＵＳＢコネクタにおいて、側断面略Ｌ字状をなすハウジングに形成した溝状のコンタクト保持部を、ハウジングの横向き溝部は、その上面側を天蓋状に塞いで形成したから、従来の特に低背ＵＳＢコネクタにおいて問題であったフリー状態のコンタクト先端部を、前記コンタクト保持部の構成によってカバーすることができ、これによりプラグコネクタ挿入時の坐屈の懸念を払拭でき、かつ、挿入されるプラグコネクタとの接点高さを一定にすることができる。
【発明を実施するための最良の形態】
【００１０】
次に、本発明ＵＳＢコネクタの実施の形態例について、図を参照しつつ説明する。図１は本発明ＵＳＢコネクタの一例の側断面図、図２は図１のコネクタのＡ−Ａ線矢視断面図、図３は公知ＵＳＢコネクタの一例の側断面図である。
【００１１】
図１，図２に例示した本発明ＵＳＢコネクタの一例において、１は、図３のコネクタにおけるシールドケース11とほぼ同じ形態でプラグコネクタ支持部1a，1bを形成したシールドケース、４は図３のコンタクト14とほぼ同じ形態のコンタクトであるが、本発明ＵＳＢコネクタでは当該コンタクト４を保持するコンタクト保持部２とその保持部２を形成したハウジング３の形態に工夫を凝らしたので、以下に説明する。
【００１２】
すなわち、本発明では、まず側断面略Ｌ字状を呈するハウジング３において、その横向き部3aの下面側に、前面（図１の左側）が壁31aで塞がれ、後面側（図１の右側）と下面を開放21aした溝部2aを形成する一方、縦向き部3bには、前後面で貫通した溝部2bを形成している。
【００１３】
また、当該ハウジング３は、コンタクト保持部２における前記溝部2a，2bの形成に際して、縦向き溝部2bの上部と下部に、図３のコンタクト14と同様の側断面大略Ｌ状をなすコンタクト４の上端部を支持する上端支持部５と、このコンタクト４の下半側に沿った傾斜面を有する立壁６を形成している。
【００１４】
本発明では、ハウジング３とそこに形成されたコンタクト保持部２の上記構成によって、ハウジング３がシールドケース１に収装される前に、当該ハウジング３におけるコンタクト保持部２の横向き溝部2aにコンタクト４の横向き部4aが圧入されると、当該コンタクト４の縦向き部4bが、このハウジング３における縦向き溝部2bの背面（図１の右側）から前面側（図１，図２の左方）に向けて進入し、この縦向き溝部2bに挿入される。
【００１５】
上記のようにしてコンタクト保持部２の横向き溝部2aに横向き部4aが圧入されたコンタクト４は、その縦向き部4bの上端部4cが、縦向き溝部2bの上端部に形成された上端支持部５に前面側から支持されることとなる。つまり、図１に示したコンタクト４は、その横向き部4aが横向き溝部2aに対して図１，図２の右方から左方へ向けて圧入されるから、圧入終端において当該コンタクト４における縦向き部4bの上端部4cの前面は支持部５の内面に適宜圧力で当接させられることになる。なお、コネクタを底面側から見た図２では、コンタクト４が４本現われているが、符号は上方の１本のコネクタ４について付け、残りのコネクタ４については省略している。
【００１６】
これにより当該コンタクト４は、その先端部4cにおいてプリテンションを掛けた状態と同視できる状態に保持されるから、プラグコネクタのコンタクト（図示せず）との接点高さを安定に維持できることとなる。
【００１７】
また、上記コンタクト４に作用する先端支持部５のプリテンション作用で、プラグコネクタを挿入したときに安定した接触圧を保持することができると共に、コンタクト４の坐屈を防止することができる。
【産業上の利用可能性】
【００１８】
本発明は以上の通りであって、ジャック型ＵＳＢコネクタにおいて、圧入されるコンタクトを保持するためハウジングに設けたコンタクト保持部の横向き部に、背面側と下面側を開放した溝状の圧入部に形成すると共に、当該ハウジングの縦向き部を前後に貫通した溝状に形成し、かつ、該縦向き溝状の保持部の上端に、圧入されるコンタクトの先端を前面覆って支持する先端支持部を形成した形態としたので、従来のＵＳＢコネクタにおいて問題であった接点高さが一定しない点やプラグ挿入時にコンタクトが坐屈することがあり得る懸念を払拭することができる。
【図面の簡単な説明】
【００１９】
【図１】本発明ＵＳＢコネクタの一例の側断面図。
【図２】図１のコネクタのＡ−Ａ線矢視断面図。
【図３】公知ＵＳＢコネクタの一例の側断面図。
【符号の説明】
【００２０】
１    シールドケース
２    コンタクト保持部
３    ハウジング
４    コンタクト
５    コンタクトの先端支持部
６    コンタクト保持部の立壁
【図１】
2010009974.tif 000003
【図２】
2010009974.tif 000004
【図３】
2010009974.tif 000005